(57)【要約】【課題】  本発明は、小売店側に非接触ＩＣ回路の存在を認識されることなく、非接触ＩＣ回路に個々の商品の納入情報を記憶させておくことができ、返品処理を円滑に行うことができる印字媒体収納ケースを提供することを課題とする。【解決手段】  不透明シート２には、密閉空間が形成されており、インレット４が外部からは見えない状態で密閉空間に内包されている。インレット４の非接触ＩＣ回路には、納入情報を記憶させておく。納入情報としては、納入単価、納品日等の商品納入時の情報が考えられ、これらの情報の中から必要に応じて１つもしくは複数をインレット４の非接触ＩＣ回路に記憶させ、メーカ側で個々の商品の納入情報を特定できるようにする。【選択図】        図１
2005128438.tif 000002
【特許請求の範囲】
【請求項１】
不透明シートに透明シートの３辺が固着され、前記不透明シートと前記透明シートとの間に印字媒体を収納する空間で形成されている印字媒体収納ケースであって、
前記不透明シートに非接触ＩＣ回路が内包されていることを特徴とする印字媒体収納ケース。
【請求項２】
商品の小売価格が印字された前記印字媒体が収納されており、
前記非接触ＩＣ回路には、前記商品の納入情報が記憶されていることを特徴とする請求項１記載の印字媒体収納ケース。
【発明の詳細な説明】
【技術分野】
【０００１】
本発明は、商品情報が印字された印字媒体を収納する印字媒体収納ケースに関し、特にメーカもしくは問屋から小売店に納入される商品の商品タグが収納される印字媒体収納ケースに関する。
【背景技術】
【０００２】
近年、服飾衣料等の商品の流通、販売において商品管理のために表面に変色層を有する非接触無線タグが用いられるようになっており、非接触無線タグの表面に商品名、素材、カラー、色、価格等の商品情報を表示させると共に、非接触無線タグにも商品情報を記憶させておき、非接触無線タグをリーダライタで読み取ることによって商品管理を行っている（例えば、特許文献１参照）。
【０００３】
しかしながら、従来技術では、小売店側が非接触無線タグの存在を認識した上での運用になるため、非接触無線タグにメーカ側で必要とする小売店管理のための情報を記憶させることができず、同じ商品には、同一の商品情報が記憶されている。
【０００４】
ところで、メーカが小売店に商品を納品する場合に、全く同じ商品でも、通常取引と、セール期間中とでは、商品の数量等の条件や納入価格が異なることがある。しかし、納入価格が異なっていても同じ商品であるため、非接触無線タグに記憶されている商品情報は、同一のものになってしまう。
【０００５】
このようにして納入した商品が返品された場合には、納入価格を特定できないため、小売店側の言い値で返品を受けざるを得なくなり、セール期間に安い納入価格で納品した商品を通常の納入価格で返品に応じなければならなくなる等、返品処理を円滑に行うことができないという問題点があった。
【特許文献１】特開２００３−２８０５２９号公報
【発明の開示】
【発明が解決しようとする課題】
【０００６】
本発明は斯かる問題点を鑑みてなされたものであり、その目的とするところは、小売店側に非接触ＩＣ回路の存在を認識されることなく、非接触ＩＣ回路に個々の商品の納入情報を記憶させておくことができ、返品処理を円滑に行うことができる印字媒体収納ケースを提供する点にある。 
【課題を解決するための手段】
【０００７】
本発明は上記課題を解決すべく、以下に掲げる構成とした。 
請求項１記載の発明の要旨は、不透明シートに透明シートの３辺が固着され、前記不透明シートと前記透明シートとの間に印字媒体を収納する空間で形成されている印字媒体収納ケースであって、前記不透明シートに非接触ＩＣ回路が内包されていることを特徴とする印字媒体収納ケースに存する。 
また請求項２記載の発明の要旨は、商品の小売価格が印字された前記印字媒体が収納されており、前記非接触ＩＣ回路には、前記商品の納入情報が記憶されていることを特徴とする請求項１記載の印字媒体収納ケースに存する。
【発明の効果】
【０００８】
本発明の印字媒体収納ケースは、不透明シート内に外部から目視できない状態で非接触ＩＣ回路を内包するように構成することにより、小売店側に非接触ＩＣ回路の存在を認識されることなく、さらに、非接触ＩＣ回路に個々の商品の納入情報を記憶させておくことにより、納入した商品が返品された場合には、個々の商品の納入情報を特定でき、返品処理を円滑に行うことができるという効果を奏する。
【発明を実施するための最良の形態】
【０００９】
以下、本発明の実施の形態を図面に基づいて詳細に説明する。
【００１０】
図１は、本発明に係る印字媒体収納ケースの実施の形態の構成を示す正面図であり、図２は、図１に示すＸ−Ｙ断面図である。 
本実施の形態は、図１および図２を参照すると、印字媒体を収納する印字媒体収納ケース１であり、不透明シート２と、不透明シート２に接着、熱による溶着等の方法で３辺が固着されている透明シート３と、不透明シート２の内部に内包されているインレット４とからなり、不透明シート２と透明シート３との間に形成された解放空間Ａに印字媒体が収納される。なお、図１に示す符号２１は、洋服のボタン等に取り付ける際に使用される切り込みである。
【００１１】
不透明シート２には、密閉空間Ｂが形成されており、インレット４が外部からは見えない状態で密閉空間Ｂに内包されている。なお、不透明シート２を２枚のシートで構成し、インレット４を挟んで２枚のシートを貼り合わせることにより、不透明シート２にインレット４を内包するようにしても良い。
【００１２】
不透明シート２は、例えば、塩化ビニル樹脂等のプラスチック材料が用いられ、内部の密閉空間Ｂに内包されている内容物（インレット４）を目視できないように、着色顔料を加えて不透明に加工されている。
【００１３】
透明シート３は、前記不透明シート２と同様に、例えば、塩化ビニル樹脂等の透明なプラスチック材料が用いられ、解放空間Ａに収納された印字媒体を目視できるようになっている。
【００１４】
インレット４は、リーダライタとの間で非接触通信が可能な非接触ＩＣ回路が実装されているＲＦＩＤ（Radio Frequency Identification）タグであり、フィルム等のシート基体４１と、アンテナ４２およびＩＣチップ４３からなる非接触ＩＣ回路とで構成され、シート基体４１上にアンテナ４２およびＩＣチップ４３からなる非接触ＩＣ回路が実装されている。
【００１５】
次に、本実施の形態の印字媒体収納ケース１の使用方法例について説明する。 
メーカから小売店に商品を納品する際に、不透明シート２と透明シート３との間に形成された解放空間Ａに、商品名、素材、カラー、色、価格等の商品情報が表示された印字媒体である商品タグを収納した印字媒体収納ケース１を商品に取り付ける。この際、不透明シート２に内包されているインレット４の非接触ＩＣ回路には、納入情報を記憶させておく。
【００１６】
インレット４の非接触ＩＣ回路に記憶させる納入情報としては、納入単価、納品日等の商品納入時の情報が考えられ、これらの情報の中から必要に応じて１つもしくは複数をインレット４の非接触ＩＣ回路に記憶させる。なお、インレット４の非接触ＩＣ回路には、印字媒体に印字される商品情報等のその他の情報を記憶させるようにしても良い。
【００１７】
小売店では、インレット４が内包されていることをメーカから小売店に意図的に通知されないかぎりは、不透明シート２に内包されているインレット４を目視できないため、印字媒体収納ケース１は、通常のケースとして取り扱われることになる。
【００１８】
納品した商品の返品時には、返品された商品に取り付けられている印字媒体収納ケース１をリーダライタで読み取り、インレット４の非接触ＩＣ回路に記憶させる納入情報から個々の納入価格を特定することによって、商品の返品処理が円滑に行われる。
【００１９】
なお、販売された商品に取り付けられていた印字媒体収納ケース１は、小売店からメーカに回収するように取り決めておけば、資源を無駄にすることなく、回収した印字媒体収納ケース１を再利用することができる。
【００２０】
以上説明したように、本実施の形態によれば、不透明シート２内に外部から目視できない状態でインレット４を内包するように構成することにより、小売店側にインレット４の存在を認識されることなく、さらに、インレット４に個々の商品の納入情報を記憶させておくことにより、納入した商品が返品された場合には、個々の商品の納入情報を特定でき、返品処理を円滑に行うことができるという効果を奏する。 
【００２１】
なお、本実施の形態では、印字媒体収納ケース１に商品タグ等の商品情報が表示された印字媒体を収納する例について説明したが、印字媒体収納ケース１には、社員証、学生証等の身分証明や、チケット等の印字媒体を収納するようにしても良いことは言うまでもない。
【００２２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。 
【図面の簡単な説明】
【００２３】
【図１】本発明に係る印字媒体収納ケースの実施の形態の構成を示す正面図である。
【図２】図１に示すＸ−Ｙ断面図である。
【符号の説明】
【００２４】
１  印字媒体収納ケース
２  不透明シート
３  透明シート
４  インレット
２１  切り込み
４１  シート基体
４２  アンテナ
４３  ＩＣチップ
Ａ  解放空間
Ｂ  密閉空間
【図１】
2005128438.tif 000003
【図２】
2005128438.tif 000004